(57)【要約】【課題】  ゴルフのパターにおいて、パッティングのときに打球の位置をマークするマーカーの紛失を防止すること。【解決手段】  プラスチックで透明でゴルフボールよりも小径のケースと、このケースの上板の外周にケースと一体にした環状の立下りと、上板と立下りとで空間を構成し、前記上板の下方にゴルフボールよりも小径のマグネットを設けたもの。【選択図】図１
2020108483.tif 000002
【特許請求の範囲】
【請求項１】
ボールを打つパターヘッドと、パターヘッドの上面の一部に設けられたシャフトを有するパターにおいて、
パターヘッドの基台と、基台の上面中央に設けられたトップ部材とから構成し、トップ部材は前記基台に比較して重量が大としたものであるパター。
【請求項２】
前記特許請求の範囲第１項記載のパターにおいて、
前記トップ部材は前記基台に着脱自在に取り付けてあるパター。
【請求項３】
前記特許請求の範囲第１項乃至第２項記載のパターにおいて、
前記基台に設けてある前記トップ部材はネジによって着脱自在に設けてあるパター。
【請求項４】
ボールを打つパターヘッドと、パターヘッドの上面の一部に設けられたシャフトを有するパターにおいて、
前記シャフトは軽くて強いカーボン材で成形したものであるパター。
【請求項５】
前記特許請求な範囲第１項乃至第３項記載のパターにおいて、
前記シャフトの先端にグリップを被嵌し、シャフトとグリップ間に連結具を介在させてシャフトとグリップの両者を連結具によって結合したパター。
【請求項６】
ボールを打つパターヘッドと、パターヘッドの上面の一部に設けられたシャフトを有するパターにおいて、
前記シャフトを二分割し、分割された一方のシャフトはパターヘッドに設けられ、他方のシャフトは選択された長さのシャフトであって、一方のシャフトと他方のシャフトはねじで連結したものであるパター。
【発明の詳細な説明】
【技術分野】
【０００１】  本発明は、パターに関し、更に詳しくは、ボールをパターヘッドのスイートスポットに正確に当てることができるようにして、パター精度を高めるパターに関する。
又、パターヘッドの基台に、パターヘッドの基台にトップ部材を着脱自在に設け、自己の好みに合ったデザインのパターを提供することができるものに関する。
更には、シャフトを軽くて強い材料のカーボンにするとともに、シャフトの長さを自由に変えることができるパターに関するものである。
又、シャフトを交換することができるパターに関するものである。
【背景技術】
【０００２】  ゴルフにおいては、飛距離を伸ばすことも重要であるが、パット精度を向上することがゴルフのスコアメーキングではより大切であると言われている。
パット精度を高めるには、ボールをパターヘッドのフェースの真ん中（スイートスポット）に当てて打つのが望ましいが、スイートスポットにボールを当てるのはプロでも難しく、ましてや素人には更に難しい。【０００３】  前記課題に着目し、発明者が種々検討したところ、これは、パターの構造そのものに原因があることが分かった。
すなわち、パターヘッドの重量が均一であることに起因している。
ボールをパターヘッドのスイートスポットの面に直角に当てれば、ボールはプレイヤーの意のままに転がるのであるが、前述のようにボールをスイートスポットに正確に当てることは大変難しいものである。【０００４】  ボールがスイートスポットから外れるとパターが捩れてしまい、ボールはプレイヤーの意思とは違う方向に転がり、カップを外すことになってしまう。
これを解決するためには、パターヘッドを重くして、ボールの打撃力による捩れモーメントに打ち勝つようにすれば良いと考えられる。
しかし、パターヘッドを重くすればパターのスイングが重くなり、結果としてスイングに狂いが生じてしまう。
パターヘッドを軽くすればスイングはスムーズになるが、捩れもモーメントが大きくなり、プレイヤーの意志とは違うラインになり好ましくない。
本発明は、パッティングにおいて、ボールをスイートスポットに正確に当てることで、パターの精度を向上することができるようにしたパターを提供することにある。【０００５】  ゴルフが上達するに従ってパターの重さを変えたいと思っても、パターは一体なので、新しく購入しなければならない。パターは高価のため頻繁に購入するのは無理である。
又、シャフトは固定されており、その長さを調整することができないので、長さを変えるには、長さの相違するパターを新しく購入するか、あるいは、愛用の使い慣れたシャフトを切断するか、反対に長くする場合は別部材を用意して継ぎ足したりしなければならないものとなっている。
スイングの良し悪しはシャフトの長さに大きく影響するので、プレイヤーの身長に応じて最適な長さに調整することができればパター精度は向上する。【０００６】  一方、従来のシャフトは鉄にメッキを施したものやステンレスで重い材料で構成されているので、慣性が大きく、ボールがパターヘッドのフェーススポットから外れても、その状態を、直接的に手で感じることできず、結果とてパターの失敗の原因になるものである。
バターヘッドのインパクトの状態を手で直接的に感じることができれば、次のパターを修正することができるので、パターの失敗は少なくなる。
従来、パターの精度を向上するものとして下記の特許公報が提案されている。
以下説明する。【０００７】  特許文献１（実用新案登録第３１１８２４５号公報）には、「ヒッティング時にボールのバックスピンの発生を抑え、ボールに対するパターヘッドの重心位置調整選択により任意のスピン回転を容易に習得可能にしたパターヘッドを提供する」ことを課題とし、
その構成を要約すると、「クラウン本体に複数個のバランサー挿入孔（４）を設け、これらのバランサー挿入孔（４）の任意の位置にバランサーウエイト部材（６）を装着固定するように構成した」ものと記載されている。【０００８】  そして、更に、この公報には、明細書の項目「００２６」に、「図においてＡは、この考案に係るパター本体の構成全体を示し、その各構成部材は、例えば鉄、軟鉄、鉄合金、銅合金、真鍮、ステンレス、チタン合金、その他重金属、軽金属を主体とする複合機材から構成する」と記載されている。
従って、この公報記載のパターヘッドは、鋳鉄やチタン合金等の重量物で均一に構成されていることが分かる。
これに対して本発明が、前述のように、後述するパターヘッドのトップ部材を他の部分よりも重い材料にして、ボールをパターヘッドのスイートスポットに正確に当てることが出来るようにして、パター精度を高めるようにしたものであるが、この公報の考案には、それが記載されていない。【０００９】  特許文献２（特開２００８−３６３１５号公報）は、「パターヘッドの重量配分を二次元（面）的に変更できる」ようにすることであり、その構成は、要約すると、「重心位置変更部材２ａ、２ｂの脚部３２ａ、３２ｂは、ヘッド本体２に着脱自在とする」と記載されている。【００１０】  詳しくは、重心位置変更部材をＬ字形（直角）に形成し、直角に対向する脚部に穿設した複数の穴にねじを選択的に挿入し、重心位置変更部材をヘッド本体に固定するものとされている。
すなわち複数の穴にこの構成によって重量体部の位置を変更し、好みのパターにアレンジできるパターヘッドにすることができるとしている。
一方、本発明が、パターヘッドのトップ部材を他の部分よりも重い材料にして、ボールをスイートスポットに正確に当ててパター精度を高めるようにしたものであるが、この公報の発明には、それが記載されていない。
【先行技術文献】
【特許文献】
【０００１１】
【特許文献１】実用新案登録第３１１８２４５公報
【特許文献２】特開２００８−３６３１５号公報
【発明の概要】
【発明が解決しようとする課題】
【００１２】  特許文献１は、前述のように、バックスピンの発生を抑えるために、クラウン本体（３）にフェース面に平行な複数個のバランサー挿入孔（４）を設け、これらの挿入孔の任意の位置にバランサーウエイト部材（６）を装着固定するように構成したものである。
すなわち、この公報に記載の新案には、バランサーウエイトの取り付け位置を、前後に変更できるようにして、バックスピンを変えるようにしたものとしている。【００１３】  又、この公報には、明細書の項目「００２６」に、「図においてＡは、この考案に係るパター本体の構成全体を示し、その各構成部材は、例えば鉄、軟鉄、鉄合金、銅合金、真鍮、ステンレス、チタン合金、その他重金属、軽金属を主体とする複合機材から構成する」と記載されており、言い換えれば、パター本体は、均一の材料で構成されているものである。
これに対して、本発明の主たる発明は、パター精度を向上するために、パターヘッドの基台よりトップ部材の重量を大にしてパター精度を向上するものであり、前記公報に記載された考案とは異にするものである。
又、本発明の他の発明は、シャフトを軽いカーボンに構成し、前記と同様にパター精度を向上することにあるが、前記特許文献１の公報には言及されていない。【００１４】  特許文献２（特開２００８−３６３１５号公報）は、「パターヘッドの重量体部の重量配分を二次元（面）的に変更できる」ようにしたことであり、その構成は、要約すると、「重心位置変更部材２ａ、２ｂの脚部３２ａ、３２ｂは、ヘッド本体２に着脱自在とする」と記載されている。【００１５】  すなわち、この公報には、重心位置変更部材をＬ字形に直角に形成し、その直角に対向する脚部に穿設した複数の穴にねじを選択的に挿入し、重量体部の重心位置変更部材の位置を変更してヘッド本体に固定する構成である。
このように、複数の穴を用いて重量体部の位置を変更し、好みのパターヘッドにアレンジできるパターであるとしている。
しかしながら、この公報には、本発明が要旨としている基台に比しパターヘッドのトップ部材を他の部分より重い材料で構成し、ボールをスイートスポットに正確に当て、パター精度を高めることは記載されていないし、指向することも述べていない。
又、シャフトを軽くて強いカーボンで構成し、前記の主たる発明と同様にパター精度を向上することに関しても言及していない。【００１６】  前記に着目し本発明の主たる目的は、トップ部材を基台と別体に構成し、更にトップ部材をパターの基台に比して重量を大にしてパター精度を向上することである。
本発明の第２の目的は、トップ部材を別体に構成し、基台（パター）に着脱自在にしてパター精度を向上することである。
本発明の第３の目的は、前記に加え、パターのシャフトを軽くて強い材料のカーボンにし、インパクト状況を手で直接的に感じることができ、パターの失敗を修正できるパターを提供することである。
本発明の第４の目的は、更に前記に加え、シャフトの長さと調整することができ、結果としてパター精度が向上するパターを提供することである。
本発明の第５の目的は、前記に追加して、シャフトを自分に合った長さのカーボンシャフトに交換できるパターとすることである。
【課題を解決するための手段】
【００１７】前記目的は、ボールを打つパターヘッドと、パターヘッドの上面の一部に設けられたシャフトを有するパターにおいて、パターヘッドの基台と、基台の上面中央に設けられたトップ部材とから構成し、トップ部材は前記基台に比較して重量が大としたものであるパターと、前記トップ部材は前記基台に着脱自在に取り付けたこと、前記基台に設けてある前記トップ部材はネジによって着脱自在に設けたこと、前記シャフトを軽くて強いカーボン材で成形したこと、前記シャフトに被嵌したグリップを連結具によって結合したこと、カーボンシャフトを分割し、パターに設けられた一方のシャフトと他方のシャフトをねじによって連結したことによって達成できる。
【発明の効果】
【００１８】  本発明の主たる効果は、パターヘッドのトップ部材をパターの基台に比して重量を大にしたので、パター精度を向上することができる。
第２には、パター基台より重量を大きくし、パターヘッドに着脱自在に構成したので、好みのデザインのパターを提供することができる。
第３には、前記に加え、シャフトを軽い材料のカーボンとしたので、パターのインパクト状況を手で直接的に感じることができ、パターの失敗を修正できるパターを提供することができる。
第４には、更に前記に加え、シャフトの長さを調整することができるので、結果としてパター精度が向上するパターを提供することがでる。
第５には、シャフトを二分割し、両者をねじで連結することにより自分の身長に合った長さのシャフトに交換することができるものである。
【図面の簡単な説明】
【００１９】
【図１】図１乃至１２図は本発明の一実施例を示すものでパターの平面図。
【図２】パターの正面図。
【図３】同じく底面図。
【図４】同じく左側面図。
【図５】パターヘッドの基台の平面図。
【図６】基台の正面図。
【図７】同じく底面図。
【図８】同じく左側面図。
【図９】パターヘッドのトップ部材の平面図。
【図１０】トップ部材の正面図。
【図１１】同じくトップ部材の平面図。
【図１２】同じくトップ部材の平面面。
【図１３】図１３乃至図１５は他の実施例で図１３は基台の平面図。
【図１４】図１３の基台の正面図。
【図１５】同じく底面図。
【図１６】同じく基台に補助基台を載置した状態の平面図。
【図１７】他の実施例の補助基台の平面図。
【図１８】図１８乃至２０は他の実施例で図１８はパターの平面図。
【図１９】同じくパターの正面図。
【図２０】同じく左側面図。
【図２１】図２１及び図２４は一実施例のグリップを説明する図で、図２１は外観図である。
【図２２】同じくグリップの断面図。
【図２３】図２１のＡ−Ａ断面図。
【図２４】カラーの下面図。
【発明を実施するための形態】
【００２０】  以下、本発明の一実施例、及び、他の実施例を図面に基づいて説明する。
図１乃至図４は、パターヘッドを示しており、図１は、基台で、比較的軽い金属（アルミニウムやアルミニウム合金）、あるいは合成樹脂材料で形成されている。一方、基台１を鉄やステンレスのような材料で、均一に成形している場合は、その中央部を他よりも高くして中央部分の重量を大きくしている。これは後述するインパクトのとき、ボールをスイートスポットに正しく当てることが出来るように作用する。
２は、基台１の中程に形成した凹陥部２で、凹陥部２の前方の両脇には突起３が形成されている。
【００２１】  ４はトップ部材で、図５乃至図８に示されているように、前記凹陥部２の底面及び前記突起３間にねじ５によって着脱自在に取り付けられている。６は、基台１の底部に穿設されたネジ穴である。
又、トップ部材４は、前記基台１よりも鉄、鉄合金、ステンレスなどの重い金属で成形されている。又、トップ部材４は、基台と同等の材料か、より重くして、パッティング時のパターヘッドの捩れ力を軽減する。
【００２２】  トップ部材４の先端面部は、ボールの曲面と同率の凹曲面７に形成し、ボールをパターヘッドのスイートスポットに正確に当てるのを補助するためのものである。
又、このトップ部材４の上面には、その中央に設けた溝の底部に、前後方向に形成した（図１０参照）矢印８を設け、前記凹曲面７と相俟って、更に正確にボールをスイートスポットに当接する手助けをする。
すなわち、前記凹曲面７と矢印８によって、ボールと凹曲面間の隙間が均一になったことを確認できれば、ボールはパターヘッドのスイートスポットの真ん中に当てることができるものである。
尚、矢印８は、トップ部材４に刻設する必要は無く、矢印８を印刷したり、ラベルを貼添付したりで代用できる。又、矢印８はパターヘッドの表面に形成した溝８Ａの底部に設けてもよい。９は、トップ部材４の底部に穿設したネジ穴である。
【００２３】  パターヘッドのフェースの真ん中、すなわち、スイートスポットから外れてパッティングするとパターヘッドが捩れてしまい、ボールはパッティングラインから外れて転がってしまう。ラインから外れるとパターは失敗することになる。
本発明は、トップ部材４を基台１と同等か他の部分より重く成形してあるのでパターヘッドの捩れ力が軽減でき、パットの精度が向上する。
この一実施例では、トップ部材４を基台１にねじ５によって着脱自在に設けたのであるが、着脱自在にしなくても、パターヘッドの中央部を他に比較して重量大にすれば同様の機能、及び効果を奏するものである。
【００２４】  前記一実施例のように、トップ部材４を別体として基台１に着脱自在に取り付ければ、次の効果を期待することができる。
すなわち、着脱自在にすれば、トップ部材４の重さを自分のスイングに合わせて自由に変えることができ、自分の好みに合ったパッティングをすることができる。
又、トップ部材４の表面に絵柄や写真を貼ったりできるので、パットが楽しくなる。
【００２５】  １０は、基台１の突起部３の片方に設けたシャフトで、軽く強いカーボンで構成したものである。
従来は、鉄やステンレスなど鉄系の重い材料で構成されているので、慣性が大きく、パターヘッドのフェースに当たる衝撃を敏感に手で感じることが出来ないものであった。
ゴルフが上手になるためには正しいストロークをすることである。ストロークは上記のようにパターの重量が大きく影響している。重ければ腕に力が入って腕をスムーズに動かすことが出来ないので正しいストロークができない。正しいストロークができなければボールを正しいラインに乗せることができずパターは失敗することになる。
【００２６】  本発明は、シャフト１０を軽くて捩れに強いカーボンで制作したので、パターをするときのスイングがスムーズになり、ボールは正しいライン上を転がるようになる。
又、カーボンは捩れに強いので、パターヘッドのフェースに対するインパクトの状態、すなわちフェーススポットへの当たりや片当たりの状態を手で敏感に直接的に感じることができ、パター精度が向上する。
【００２７】  更に詳しくは、正しいスイングラインを感じるにはスイートスポットラインを重くすればよい。そのための一つの構成として、基台１とトップ部材４を樹脂で成形する案が考えられる。パターのインパクト時に、ボールがフェーススポットを外れて打つとパターヘッドが左右に回転する。この回転モーメントがシャフトの捩れになるが、シャフト１０が鉄のように重いと捩れ力が直接手に伝わらない。
【００２８】  本発明では、シャフト１０を軽くて捩れに強いカーボンで成形したので、パターヘッドの回転モーメントが直に手に伝わり、スイングラインの良し悪しを確認することが出来る。そのため、本発明はスイングの練習に好適であるといえる。
【００２９】  ゴルフのパターでは、シャフトが身長にあっていないと上手くならないので、シャフトを変えたい場合がある。しかし長さを変えるためには新しいパターを購入するしかない。
これに対処し本発明は、パターを購入することなくシャフトのみを購入すればシャフトの交換ができるようにしたものである。
図において、１０Ａは、パターに一体的に設けられた一方のシャフトで、その上端には雌ねじ１０Ｂが設けられている。１０Ｃは、身長に合わせた例えばカーボンの他方のシャフトで、その下端には雄ねじ１０Ｄが設けられている。他方のシャフト１０Ｃは、長さの異なる複数のシャフトを用意しておく。
そして雄ねじ１０Ｄを雌ねじ１０Ｂに螺合することにより、身長に合わせた新しいシャフトができるものである。
又、シャフト１０の交換に加えて後述するグリップの交換もできるので、高価なパターを購入する必要がなくなるメリットがある。
１１は、シャフト１０の長さを調節する長さ調節機構で、これについては後述する。
【００３０】  図５乃至図８、及び図９乃至図１２に付した符号は、図１乃至図４に示したパターの全体図に付した符号と同一であるので、その部品の説明は省略する。
但し、図９、図１１、及び図１２のトップ部材４の平面図は、若干アレンジされているので注意を要する。図１０の正面図の矢印８も、図２の矢印を上方に突出させている点で相違しているが、機能は同一である。
【００３１】  図１３乃至図１７は、前記一実施例のパターヘッドと相違する形状の第二のパターヘッドである。
図１３について説明すると、２１は基台で、その前部には突部２２が形成されている。２３は、後述するトップ部材２４を載置するネジ穴で、２５は、突部２２の端部に穿設したシャフトを取り付ける取り付け穴である。
【００３２】  図１４は、基台２１の正面図で、突部２２が基台２１の前方に立ち上がっているのが見える。図１５は、基台２１の底面図である。
図１６は、基台２１の上面にねじによって着脱自在に載置されたトップ部材２４で、上方から見て角を落とした三角形になっている。
このトップ部材２４の表面には、ボールと同径の円形２６を刻んで表示している。これらの円形は、パッティングするときにラインを決定するのに役立つものである。これらは、ツウボールパターと称されている。
図１７は、円形を一つ刻設し、同じく位置合わせに使用する。これはワンボールパターと称されている。
【００３３】  図１８乃至図２０は、第三の実施例で、３１は基台、３２は基台３１の周壁３３で囲まれた凹陥部である。この凹陥部３２にはトップ部材３４が収納載置されている。３５はトップ部材３４を凹陥部３２の底部に着脱自在に取り付けるねじである。
図１９は正面図、図２０は左側面図である。
【００３４】  図２１乃至図２５は、シャフトを切断しないで、その長さを調節する発明を示している。
以下説明すると、図２１において、４１は、ゴムや合成樹脂で成形したグリップで、シャフト４２の先端に被嵌されている。４３は、これらのグリップ４１とシャフト４２を接続する長さ調節具である。
【００３５】  図２２において、シャフト４２は段付きシャフトであり、その小径部４２Ａに前記グリップ４１を遊合状態で被嵌する構成にしている。シャフト４２の大径部４２Ｂには前記シャフト４２を挿入する構成とする。又、グリップ４１は着脱自在になっているので、自分の好みに合ったグリップに交換することができる。
長さ調節具４３は真鍮などの金属製カラー４４からなり、その小径部４４Ａを前記グリップ４１とシャフト４２の小径部４２Ａ間の間隙に挿入する。
カラー４４の大径部４４Ｂにはシャフト４２の大径部４２Ｂが挿入される。
４５はカラー４４の外側から螺合する調整ネジで、カラー４４とシャフト４２の軸方向の相対移動を調整する。
【００３６】  図２３は、図２２のＡ−Ａ断面で、カラー４４は、すり割り形状となっており、すり割り４６の外側がグリップ４１の内面を押圧し、摩擦によって両者が結合される。
シャフト４２の先端とグリップ４１の底部間には、Ｌで表示されている空間が形成されており、この空間の長さ内でシャフト４１の調節ができる。４７は空気抜き穴である。
【００３７】  図２４は、前述のカラー４４の外観図である。この図で明らかなように、カラー  ４４の小径部４４Ａの外周には、複数本の環状突起４８が設けられている。この環状突起４８は、グリップ４１の内面に食い込み、グリップ４１の抜けを防止するように機能している。
【００３８】  パターの長さは、通常３３インチから３４インチに設定されているので、前記グリップ４２の空間の長さは１インチであるが、本発明では、グリップ４１の空間の長さＬの範囲内で調節することができる。
【００３９】  前記構成において、ねじ４５を弛めてシャフト４２とカラー４４を開放すれば、シャフト４２が解放され、シャフト４２は図面上左右に移動できるようになる。
任意の位置でねじ４５を締めればシャフト４２とカラー４４は締め付けられ、シャフト４２は固定される。
【００４０】  本発発明は前述のように構成したので次の効果を得ることができる。
すなわち、本発明は、パターヘッドの部材トップをパターの基台に比して重量を大にしたので、パター精度を向上することができる。
又、トップ部材を基台より重くすると共に、基台に着脱自在に構成したので、好みのデザインのパターをうることができる。
又、前記に加え、パターのシャフトを軽い材料のカーボンとしたので、パターのインパクト状況を手で直接的に感じることができ、パターの失敗を修正でき、パター精度を向上するパターを提供することができる。
更に又、前記に加え、シャフトの長さを調整することができ、パター精度が向上するパターを提供することができる。
又、シャフトを二分割し、両者をねじ結合したので、シャフトを自分の身長に合った長さに交換することが出来るようになり、結果としてパター精度が向上するものである。
【符号の説明】  １…基台、２…凹陥部、３…突起部、４…トップ部材、５…ねじ、６…ネジ穴、７…凹曲面、８…矢印、８Ａ…溝、９…ネジ穴、１０…シャフト、１０Ａ…一方のシャフト、１０Ｂ雌ねじ、１０Ｃ…他方のシャフト、１０Ｄ…雄ねじ、１１…長さ調節機構、２１…基台、２２…突部、２３…ネジ穴、２４…トップ部材、２５…シャフト取り付け穴、２６…円形、３１…基台、３２…凹陥部、３３…周壁、３４…トップ部材、３５…ねじ、４…グリップ、４２…シャフト、４２Ａ…小径部、４２Ｂ…大径部、４３…長さ調節具、４４…カラー、４４Ａ…小径部、４４Ｂ…大径部、４５…調整ネジ、４６…すり割り、４７…空気抜き穴、４８…環状突起
【図１】
2020108483.tif 000003
【図２】
2020108483.tif 000004
【図３】
2020108483.tif 000005
【図４】
2020108483.tif 000006
【図５】
2020108483.tif 000007
【図６】
2020108483.tif 000008
【図７】
2020108483.tif 000009
【図８】
2020108483.tif 000010
【図９】
2020108483.tif 000011
【図１０】
2020108483.tif 000012
【図１１】
2020108483.tif 000013
【図１２】
2020108483.tif 000014
【図１３】
2020108483.tif 000015
【図１４】
2020108483.tif 000016
【図１５】
2020108483.tif 000017
【図１６】
2020108483.tif 000018
【図１７】
2020108483.tif 000019
【図１８】
2020108483.tif 000020
【図１９】
2020108483.tif 000021
【図２０】
2020108483.tif 000022
【図２１】
2020108483.tif 000023
【図２２】
2020108483.tif 000024
【図２３】
2020108483.tif 000025
【図２４】
2020108483.tif 000026